(57)【要約】【課題】通話の明瞭性を向上させたハンズフリー集音用マイクロホンの切替え装置を提供する。【解決手段】通信端末と通信可能な通信手段と、複数のマイクロホンを切替え可能なマイクロホンスイッチ手段と、前記マイクロホンスイッチ手段を制御すると共に前記通信手段と電気的に接続された制御手段とを備えたマイクロホンの切替え装置であって、前記制御手段は、前記通信端末と前記通信手段との通信に基づいて前記切替え装置から前記通信端末までの距離を決定する距離決定部と、この距離と前記切替え装置から各マイクロホンまでの距離とを比較して、前記通信端末に最も近いマイクロホンを選択する距離比較部とを有する。【選択図】図３
2010010873.tif 000002
【特許請求の範囲】
【請求項１】
通信端末と通信可能な通信手段と、
複数のマイクロホンを切替え可能なマイクロホンスイッチ手段と、
前記マイクロホンスイッチ手段を制御すると共に前記通信手段と電気的に接続された制御手段とを備えたマイクロホンの切替え装置であって、
前記制御手段は、
前記通信端末と前記通信手段との通信に基づいて前記切替え装置から前記通信端末までの距離を決定する距離決定部と、
この距離と前記切替え装置から各マイクロホンまでの距離とを比較して、前記通信端末に最も近いマイクロホンを選択する距離比較部とを有することを特徴とするマイクロホンの切替え装置。
【請求項２】
前記距離比較部が各マイクロホンの距離と前記通信端末の距離との距離差を決定し、前記複数のマイクロホンについて距離差が同じと判定した場合、
前記制御手段は、前記複数のマイクロホンの音圧レベルを比較して、最も大きな音圧レベルを示すマイクロホンを選択する音圧比較部を有することを特徴とする請求項１に記載のマイクロホンの切替え装置。
【請求項３】
通信端末と通信可能な通信手段を備えたマイクロホンの切替え装置を用意し、
前記通信端末と前記通信手段との通信に基づいて前記切替え装置から前記通信端末までの距離を決定し、
この距離と前記切替え装置から各マイクロホンまでの距離とを比較して前記通信端末に最も近いマイクロホンを選択し、
選択したマイクロホンに切替えることを特徴とするマイクロホンの切替え方法。
【請求項４】
通信端末と通信可能な通信手段と、複数のマイクロホンを切替え可能なマイクロホンスイッチ手段と、前記マイクロホンスイッチ手段を制御すると共に前記通信手段と電気的に接続された制御手段とを備えたコンピュータを、
前記通信端末と前記通信手段との通信に基づいて前記コンピュータから前記通信端末までの距離を決定する距離決定手段と、
この距離と各マイクロホンから前記コンピュータまでの距離とを比較して、前記通信端末に最も近いマイクロホンを選択する距離比較手段として機能させることを特徴とするプログラム。
【発明の詳細な説明】
【技術分野】
【０００１】
本発明は、ハンズフリー集音用マイクロホンの切替え装置に関する。
【背景技術】
【０００２】
関連の車載ハンズフリー装置では、Ｂｌｕｅｔｏｏｔｈユニットが携帯電話機との間でハンズフリープロファイルを接続している場合に、マイクロホンから入力された送話音声がＢｌｕｅｔｏｏｔｈユニットから携帯電話機へ送信されると共に、携帯電話機からＢｌｕｅｔｏｏｔｈユニットに送信された受話音声がスピーカから出力される。
【０００３】
【特許文献１】特開２００８−５３８０５号公報
【発明の開示】
【発明が解決しようとする課題】
【０００４】
しかし、上記マイクロホンは１個であるため、車内の話者がマイクロホンから遠くにいるとき、マイクロホンに入力される音が小さくなり、通話の相手は音を聞き取りにくい。また、マイクロホンの入力レベルをボリューム調整してもノイズ成分は大きくなり、通話の明瞭性は向上しない。よって、話者の声が通話相手に対して小さいとき、マイクロホンを移動させるか、又は、通話者がマイクロホンに近づいて通話する必要があった。
【０００５】
本発明の課題の一例は、安定した通話品質を実現するマイクロホンの切替え装置を提供することにある。
【課題を解決するための手段】
【０００６】
上記課題を解決するために、請求項１に記載の発明に係わるマイクロホンの切替え装置は、通信端末と通信可能な通信手段と、複数のマイクロホンを切替え可能なマイクロホンスイッチ手段と、前記マイクロホンスイッチ手段を制御すると共に前記通信手段と電気的に接続された制御手段とを備えたマイクロホンの切替え装置であって、前記制御手段は、
前記通信端末と前記通信手段との通信に基づいて前記切替え装置から前記通信端末までの距離を決定する距離決定部と、この距離と前記切替え装置から各マイクロホンまでの距離とを比較して、前記通信端末に最も近いマイクロホンを選択する距離比較部とを有する。
【０００７】
請求項３に記載の発明に係わるマイクロホンの切替え方法は、通信端末と通信可能な通信手段を備えたマイクロホンの切替え装置を用意し、前記通信端末と前記通信手段との通信に基づいて前記切替え装置から前記通信端末までの距離を決定し、この距離と前記切替え装置から各マイクロホンまでの距離とを比較して前記通信端末に最も近いマイクロホンを選択し、選択したマイクロホンに切替える。
【０００８】
請求項４に記載の発明に係わるプログラムは、通信端末と通信可能な通信手段と、複数のマイクロホンを切替え可能なマイクロホンスイッチ手段と、前記マイクロホンスイッチ手段を制御すると共に前記通信手段と電気的に接続された制御手段とを備えたコンピュータを、前記通信端末と前記通信手段との通信に基づいて前記コンピュータから前記通信端末までの距離を決定する距離決定手段と、この距離と各マイクロホンから前記コンピュータまでの距離とを比較して、前記通信端末に最も近いマイクロホンを選択する距離比較手段として機能させる。
【発明を実施するための最良の形態】
【０００９】
以下、図面を参照して実施形態を説明する。
【００１０】
図１に示すように、ハンズフリー集音用マイクロホンの切替え装置１１は、製品１０に搭載された制御手段としてのコントロールＩＣ（Integrated Circuit）１２と、コントロールＩＣ１２によって制御されるマイクロホンスイッチ回路（マイクロホンスイッチ手段の一例）１３と、コントロールＩＣ１２と電気的に接続したＢｌｕｅｔｏｏｔｈ（登録商標）通信回路（通信手段の一例）１４を有する。Ｂｌｕｅｔｏｏｔｈ通信回路１４はアンテナ１５と電気的に接続する。
【００１１】
製品１０は、例えば、車室に配置される。製品１０は、例えば、オーディオ機器、カーナビゲーションシステムである。製品１０は、マイクロホンスイッチ回路１２と電気的に接続した第1、第２及び第３のマイクロホン１６Ａ、１６Ｂ、１６Ｃを有する。第１、第２及び第３のマイクロホン１６Ａ、１６Ｂ、１６Ｃは、車室に配置される。第１、第２及び第３のマイクロホン１６Ａ、１６Ｂ、１６Ｃは、製品１０、すなわち、同切替え装置１１から順に遠くに離れるよう位置決めされる。すなわち、第１のマイクロホン１６Ａが製品１０から最も近く、第３のマイクロホン１６Ｃが製品１０から最も遠い。
【００１２】
コントロールＩＣ（Integrated Circuit）１２は、ＣＰＵ、ＲＯＭ、ＲＡＭを有する。ＣＰＵはＲＯＭに格納された制御プログラムを実行して、同切替え装置１１を制御する。コントロールＩＣ１２は、Ｂｌｕｅｔｏｏｔｈ通信回路１４と携帯電話端末２０との通信による受信レベルに基づいて製品１０、すなわち、同切替え装置１１から携帯電話端末２０までの距離を決定する距離決定部１２１を有する。コントロールＩＣ１２は、製品１０から第１、第２及び第３のマイクロホン１６Ａ、１６Ｂ、１６Ｃまでのそれぞれの距離と携帯電話端末２０の距離とを比較する距離比較部１２２を有する。また、コントロールＩＣ１２は、第１、第２、第３のマイクロホン１６Ａ、１６Ｂ、１６Ｃの音圧を比較する音圧比較部１２３を有する。
【００１３】
なお、距離決定部１２１、距離比較部１２２、及び音圧比較部１２３は、ソフトウェア（ＣＰＵにより実行されるプログラム）で構成されても良いし、ハードウェア回路で構成されても良い。
【００１４】
マイクロホンスイッチ回路１３は、コントロールＩＣ１２の命令に従って第１、第２、第３のマイクロホン１６Ａ、１６Ｂ、１６Ｃを切替える。
【００１５】
次に、ハンズフリー用マイクロホンの切替え装置１１の動作を説明する。
【００１６】
図３に示すように、携帯電話端末２０の通話が開始する（ステップＳ１）と、Ｂｌｕｅｔｏｏｔｈ通信回路１４はアンテナ１５を経由して携帯電話端末２０と通信する。コントロールＩＣ１２は、Ｂｌｕｅｔｏｏｔｈ通信回路１４のＢｌｕｅｔｏｏｔｈ受信レベルを監視する（ステップＳ２）。距離決定部１２１は、式（１）に基づいて製品１０、すなわち、同切替え装置１１から携帯電話端末２０までの距離を決定する（ステップＳ３）。
【００１７】
ＬＯＳＳ値（ｄＢ）＝２０ｌｏｇ10（４π＊ｒ／λ）・・・（１）
ここで、ｒは製品１０（切替え装置１１）から携帯電話端末２０までの距離（ｍ）である。λは受信帯域の波長（ｍ）である。
【００１８】
ＬＯＳＳ値に関して、アンテナ１５の利得特性を実測しておく。アンテナ１５の受信レベルをアンテナの利得によって修正する。損失携帯電話端末２０のＢｌｕｅｔｏｏｔｈ  ｃｌａｓｓ２の最大送信レベルと修正した受信レベルとから、ＬＯＳＳ値を得る。ＬＯＳＳ値と波長λとから距離ｒを求める（ステップＳ３）。
【００１９】
次に、マイクロホンの選択処理に移行する（ステップＳ４）。図４に示すように、距離比較部１２２は、携帯電話端末２０の距離ｒと製品１０から第１、第２及び第３のマイクロホン１６Ａ、１６Ｂ、１６Ｃまでのそれぞれの距離とを比較する（ステップＳ４１）。距離比較部１２２は各マイクロホン１６Ａ、１６Ｂ、１６Ｃの距離と携帯電話端末２０の距離との距離差を決定する。距離比較部１２３は、第１、第２、第３のマイクロホン１６Ａ、１６Ｂ、１６Ｃの距離差を比較してそれぞれ異なる距離差と判定する場合（ステップＳ４２）、処理はステップＳ４３へ移行する。距離比較部１２２は、距離差の最も小さなマイクロホンを選択する（ステップＳ４３）。
【００２０】
一方、距離比較部１２２は、第１、第２、第３のマイクロホン１６Ａ、１６Ｂ、１６Ｃのそれぞれの距離差を比較して、全ての距離差が同じと判定する場合（ステップＳ４２）、処理はステップＳ４４へ移行する。音圧比較部１２３は第１、第2、第３のマイクロホン１６Ａ、１６Ｂ、１６Ｃの音圧レベルを測定し、それぞれの音圧レベルを比較する（ステップＳ４３）。音圧比較部１２３は最も大きな音圧レベルを示したマイクロホンを選択する（ステップＳ４３）。
【００２１】
図３に示すように、コントロールＩＣ１２は、この選択したマイクロホンに切替えるようマイクロホンスイッチ回路１３に命令を送信する。マイクロホンスイッチ回路１３は、コントロールＩＣ１２の指令に従って選択したマイクロホンに切替える（ステップＳ５）。
【００２２】
以上の処理は携帯電話２０の話が終了するまで継続する（ステップＳ６）。
【００２３】
以上の実施形態によれば、携帯電話端末から最も近いマイクロホンが選択されるので、通話の明瞭性を向上させ、通話品質の安定を実現する。
【００２４】
なお、本発明は本実施形態に限定されず、本発明の趣旨の範囲で変更可能である。本発明のマイクロホンの切替え装置は、製品から独立した装置でもよい。同マイクロホンの切替え装置は、ホール、会議室に設置されてもよい。この場合、通話者はＢｌｕｅｔｏｏｔｈＩＣを有した名札、名刺、携帯電話端末などの携帯品を所持し、設置した複数のマイクロホンを切替える。通信端末は、携帯電話端末の代わりに、ＰＨＳ、発信機を用いてもよい。通信形式は、送信レベルを限定できるなら通信であればＢｌｕｅｔｏｏｔｈ通信に限られない。コントロールＩＣから携帯電話端末までの距離を決定する式は、式（１）に限られず、他の式を用いてもよい。
【図面の簡単な説明】
【００２５】
【図１】実施形態に係わるハンズフリー集音用マイクロホンの切替え装置の概略図である。
【図２】図１に示す切替え装置の概略図である。
【図３】図１に示す切替え装置の処理手順を示すフローチャートである。
【図４】図３に示すサブルーチンの処理手順を示すフローチャートである。
【符号の説明】
【００２６】
１０    製品
１１    マイクロホンの切替え装置
１２    コントロールＩＣ
１３    マイクロホンスイッチ回路
１４    Ｂｌｕｅｔｏｏｔｈ通信回路
１６Ａ    第１のマイクロホン
１６Ｂ    第２のマイクロホン
１６Ｃ    第３のマイクロホン
２０    携帯電話端末
【図１】
2010010873.tif 000003
【図２】
2010010873.tif 000004
【図３】
2010010873.tif 000005
【図４】
2010010873.tif 000006